(57)【要約】      （修正有）【課題】建物の外皮の断熱性能が、実際の外皮の断熱性能よりも不利側に計算されるのを防ぐ。【解決手段】計算システム１Ｓは、設計因子記憶手６Ｇ段、第１開口部断熱情報を記憶する第１記憶手段６Ａ、第２開口部断熱情報を記憶する第２記憶手段６Ｂ及び計算手段７を含む。計算手段７は、建物の開口部の設計因子に基づいて、第１記憶手段から第１開口部断熱情報を抽出し、抽出された第１開口部断熱情報を使用して、開口部の第１断熱性能を計算する第１計算部７Ａと、建物の開口部の設計因子に基づいて、第２記憶手段から第２開口部断熱情報を抽出し、抽出された第２開口部断熱情報を使用して、開口部の第２断熱性能を計算する第２計算部７Ｂと、第１断熱性能及び第２断熱性能を比較して、断熱性能が優れている一方の性能を用いて、建物の外皮の断熱性能を計算する第３計算部７Ｃと、を有する。さらに、計算された建物の外皮の断熱性能を出力する出力部３を含む。【選択図】図１
2018073152.tif 000002
【特許請求の範囲】
【請求項１】
開口部を含む建物の外皮の断熱性能を計算するためのシステムであって、
前記開口部の設計因子を記憶する設計因子記憶手段、
予め定められた基準に従って前記設計因子毎の断熱性能である第１開口部断熱情報を記憶する第１記憶手段、
前記開口部の設計因子毎の実際の断熱性能である第２開口部断熱情報を記憶する第２記憶手段、及び
計算手段を含み、
前記計算手段は、
前記建物の前記開口部の設計因子に基づいて、前記第１記憶手段から前記第１開口部断熱情報を抽出し、抽出された前記第１開口部断熱情報を使用して、前記開口部の第１断熱性能を計算する第１計算部と、
前記建物の前記開口部の設計因子に基づいて、前記第２記憶手段から前記第２開口部断熱情報を抽出し、抽出された前記第２開口部断熱情報を使用して、前記開口部の第２断熱性能を計算する第２計算部と、
前記第１断熱性能及び前記第２断熱性能を比較して、断熱性能が優れている一方の性能を用いて、前記建物の外皮の断熱性能を計算する第３計算部と、
計算された前記建物の外皮の断熱性能を出力する出力部とを含むことを特徴とする建物の外皮の断熱性能計算システム。
【請求項２】
前記開口部の前記設計因子は、前記開口部に配置されるガラスの種類、サッシの種類、又は、建具の種別を含む請求項１記載の建物の外皮の断熱性能計算システム。
【請求項３】
前記計算手段は、
前記建物の外皮の断熱性能に影響する設計因子を有する場合、前記建物の外皮の断熱性能に影響する設計因子を考慮しない第１エネルギー消費量、及び、前記建物の外皮の断熱性能に影響する設計因子を考慮した第２エネルギー消費量を計算する第４計算部を含み、
前記出力部は、前記第１エネルギー消費量及び前記第２エネルギー消費量を比較して、エネルギー性能が劣っている一方の消費量を出力する請求項１又は２記載の建物の外皮の断熱性能計算システム。
【請求項４】
前記建物の外皮の断熱性能に影響する設計因子は、前記開口部以外の設計因子であり、前記建物の小屋裏収納、前記建物の基礎の深さ、又は、前記建物のエレベータの昇降路の上部を含む請求項３記載の建物の外皮の断熱性能計算システム。
【請求項５】
前記第４計算部は、前記建物の外皮の断熱性能に影響する設計因子を有しない場合、前記第１エネルギー消費量のみを計算し、
前記出力部は、前記第１エネルギー消費量を出力する請求項３又は４記載の建物の外皮の断熱性能計算システム。
【請求項６】
開口部を含む建物の外皮の断熱性能を、コンピュータを用いて計算するための方法であって、
前記開口部の設計因子を、前記コンピュータに記憶する工程、
予め定められた基準に従って前記設計因子毎の断熱性能である第１開口部断熱情報を、前記コンピュータに記憶する工程、
前記開口部の設計因子毎の実際の断熱性能である第２開口部断熱情報を、前記コンピュータに記憶する工程、
前記コンピュータが、前記建物の外皮の断熱性能を計算する外皮断熱性能計算工程、及び
前記コンピュータが、計算された前記建物の外皮の断熱性能を出力する工程を含み、
前記外皮断熱性能計算工程は、前記建物の前記開口部の設計因子に基づいて、前記第１開口部断熱情報を抽出し、抽出された前記第１開口部断熱情報を使用して、前記開口部の第１断熱性能を計算する工程と、
前記建物の前記開口部の設計因子に基づいて、前記第２開口部断熱情報を抽出し、抽出された前記第２開口部断熱情報を使用して、前記開口部の第２断熱性能を計算する工程と、
前記第１断熱性能及び前記第２断熱性能を比較して、断熱性能が優れている一方の性能を用いて、前記建物の外皮の断熱性能を計算する工程とを含むことを特徴とする建物の外皮の断熱性能計算方法。
【請求項７】
前記開口部の前記設計因子は、前記開口部に配置されるガラスの種類、サッシの種類、又は、建具の種類を含む請求項６記載の建物の外皮の断熱性能計算方法。
【請求項８】
前記コンピュータが、前記建物の外皮の断熱性能に影響する設計因子を有すると判断した場合、前記建物の外皮の断熱性能に影響する設計因子を考慮しない第１エネルギー消費量と、前記建物の外皮の断熱性能に影響する設計因子を考慮した第２エネルギー消費量とを計算する工程とをさらに含み、
前記建物の外皮の断熱性能を出力する工程は、前記第１エネルギー消費量及び前記第２エネルギー消費量を比較して、エネルギー性能が劣っている一方の消費量をさらに出力する請求項６又は７記載の建物の外皮の断熱性能計算方法。
【請求項９】
前記建物の外皮の断熱性能に影響する設計因子は、前記開口部以外の設計因子であり、前記建物の小屋裏収納、前記建物の基礎の深さ、又は、前記建物のエレベータの昇降路の上部を含む請求項８記載の建物の外皮の断熱性能計算方法。
【請求項１０】
前記コンピュータが、前記建物の外皮の断熱性能に影響する設計因子を有しないと判断した場合、前記第１エネルギー消費量のみを計算する工程をさらに含み、
前記建物の外皮の断熱性能を出力する工程は、前記第１エネルギー消費量をさらに出力する請求項８又は９記載の建物の外皮の断熱性能計算方法。
【発明の詳細な説明】
【技術分野】
【０００１】
本発明は、建物の外皮の断熱性能を計算するためのシステム及び方法に関する。
【背景技術】
【０００２】
下記特許文献１は、建物の外皮の断熱性能を計算するためのシステムを提案している。下記特許文献１のシステムは、建物の各構成部材の断熱性能に関する断熱情報が予め記憶されたデータベースと、断熱情報を使用して建物の外皮の断熱性能を計算する算定手段とを含んで構成されている。
【０００３】
建物の構成部材は、例えば、天井部、外壁部、床部、及び、開口部を含んでいる。断熱情報は、構成部材の設計因子に関連付けて設定されている。また、断熱情報は、例えば、省エネルギー基準等に従って定義される。
【先行技術文献】
【特許文献】
【０００４】
【特許文献１】特開２０１６−５７６５４号公報
【発明の概要】
【発明が解決しようとする課題】
【０００５】
開口部の設計因子は、例えば、開口部に配置されるガラスの種類、サッシの種類、及び、建具の種別等を含んでいる。このような開口部の設計因子は、建物によってそれぞれ異なる。このため、開口部の実際の断熱性能は、上記基準に基づく断熱情報を使用して計算された開口部の断熱性能との間に大きな差が生じやすい。従って、上記特許文献１のシステムで計算される外皮の断熱性能が、実際の外皮の断熱性能よりも不利側に計算されるという問題があった。このように、外皮の断熱性能が実際の外皮の断熱性能よりも不利側に計算されると、過剰な設備によってエネルギー収支を整えるようなミスマッチが生じるおそれがあった。
【０００６】
本発明は、以上のような実状に鑑み案出されたもので、建物の外皮の断熱性能が、実際の外皮の断熱性能よりも不利側に計算されるのを防ぎうるシステム及び方法を提供することを主たる目的としている。
【課題を解決するための手段】
【０００７】
本発明は、開口部を含む建物の外皮の断熱性能を計算するためのシステムであって、前記開口部の設計因子を記憶する設計因子記憶手段、予め定められた基準に従って前記設計因子毎の断熱性能である第１開口部断熱情報を記憶する第１記憶手段、前記開口部の設計因子毎の実際の断熱性能である第２開口部断熱情報を記憶する第２記憶手段、及び計算手段を含み、前記計算手段は、前記建物の前記開口部の設計因子に基づいて、前記第１記憶手段から前記第１開口部断熱情報を抽出し、抽出された前記第１開口部断熱情報を使用して、前記開口部の第１断熱性能を計算する第１計算部と、前記建物の前記開口部の設計因子に基づいて、前記第２記憶手段から前記第２開口部断熱情報を抽出し、抽出された前記第２開口部断熱情報を使用して、前記開口部の第２断熱性能を計算する第２計算部と、前記第１断熱性能及び前記第２断熱性能を比較して、断熱性能が優れている一方の性能を用いて、前記建物の外皮の断熱性能を計算する第３計算部と、計算された前記建物の外皮の断熱性能を出力する出力部とを含むことを特徴とする。
【０００８】
本発明に係る前記建物の外皮の断熱性能計算システムにおいて、前記開口部の前記設計因子は、前記開口部に配置されるガラスの種類、サッシの種類、又は、建具の種別を含むのが望ましい。
【０００９】
本発明に係る前記建物の外皮の断熱性能計算システムにおいて、前記計算手段は、前記建物の外皮の断熱性能に影響する設計因子を有する場合、前記建物の外皮の断熱性能に影響する設計因子を考慮しない第１エネルギー消費量、及び、前記建物の外皮の断熱性能に影響する設計因子を考慮した第２エネルギー消費量を計算する第４計算部を含み、前記出力部は、前記第１エネルギー消費量及び前記第２エネルギー消費量を比較して、エネルギー性能が劣っている一方の消費量を出力するのが望ましい。
【００１０】
本発明に係る前記建物の外皮の断熱性能計算システムにおいて、前記建物の外皮の断熱性能に影響する設計因子は、前記開口部以外の設計因子であり、前記建物の小屋裏収納、前記建物の基礎の深さ、又は、前記建物のエレベータの昇降路の上部を含むのが望ましい。
【００１１】
本発明に係る前記建物の外皮の断熱性能計算システムにおいて、前記第４計算部は、前記建物の外皮の断熱性能に影響する設計因子を有しない場合、前記第１エネルギー消費量のみを計算し、前記出力部は、前記第１エネルギー消費量を出力するのが望ましい。
【００１２】
本発明は、開口部を含む建物の外皮の断熱性能を、コンピュータを用いて計算するための方法であって、前記開口部の設計因子を、前記コンピュータに記憶する工程、予め定められた基準に従って前記設計因子毎の断熱性能である第１開口部断熱情報を、前記コンピュータに記憶する工程、前記開口部の設計因子毎の実際の断熱性能である第２開口部断熱情報を、前記コンピュータに記憶する工程、前記コンピュータが、前記建物の外皮の断熱性能を計算する外皮断熱性能計算工程、及び前記コンピュータが、計算された前記建物の外皮の断熱性能を出力する工程を含み、前記外皮断熱性能計算工程は、前記建物の前記開口部の設計因子に基づいて、前記第１開口部断熱情報を抽出し、抽出された前記第１開口部断熱情報を使用して、前記開口部の第１断熱性能を計算する工程と、前記建物の前記開口部の設計因子に基づいて、前記第２開口部断熱情報を抽出し、抽出された前記第２開口部断熱情報を使用して、前記開口部の第２断熱性能を計算する工程と、前記第１断熱性能及び前記第２断熱性能を比較して、断熱性能が優れている一方の性能を用いて、前記建物の外皮の断熱性能を計算する工程とを含むことを特徴とする。
【００１３】
本発明に係る前記建物の外皮の断熱性能計算方法において、前記開口部の前記設計因子は、前記開口部に配置されるガラスの種類、サッシの種類、又は、建具の種類を含むのが望ましい。
【００１４】
本発明に係る前記建物の外皮の断熱性能計算方法において、前記コンピュータが、前記建物の外皮の断熱性能に影響する設計因子を有すると判断した場合、前記建物の外皮の断熱性能に影響する設計因子を考慮しない第１エネルギー消費量と、前記建物の外皮の断熱性能に影響する設計因子を考慮した第２エネルギー消費量とを計算する工程とをさらに含み、前記建物の外皮の断熱性能を出力する工程は、前記第１エネルギー消費量及び前記第２エネルギー消費量を比較して、エネルギー性能が劣っている一方の消費量をさらに出力するのが望ましい。
【００１５】
本発明に係る前記建物の外皮の断熱性能計算方法において、前記建物の外皮の断熱性能に影響する設計因子は、前記建物の小屋裏、又は、前記建物の基礎の深さを含むのが望ましい。
【００１６】
本発明に係る前記建物の外皮の断熱性能計算方法において、前記コンピュータが、前記建物の外皮の断熱性能に影響する設計因子を有しないと判断した場合、前記第１エネルギー消費量のみを計算する工程をさらに含み、前記建物の外皮の断熱性能を出力する工程は、前記第１エネルギー消費量をさらに出力するのが望ましい。
【発明の効果】
【００１７】
本願の第１の発明の建物の外皮の断熱性能計算システムは、開口部の設計因子を記憶する設計因子記憶手段、予め定められた基準に従って設計因子毎の断熱性能である第１開口部断熱情報を記憶する第１記憶手段、開口部の設計因子毎の実際の断熱性能である第２開口部断熱情報を記憶する第２記憶手段、及び、計算手段を含んでいる。
【００１８】
計算手段は、建物の開口部の設計因子に基づいて、第１記憶手段から第１開口部断熱情報を抽出し、抽出された第１開口部断熱情報を使用して、開口部の第１断熱性能を計算する第１計算部を含んでいる。また、計算手段は、建物の開口部の設計因子に基づいて、第２記憶手段から第２開口部断熱情報を抽出し、抽出された第２開口部断熱情報を使用して、前記開口部の第２断熱性能を計算する第２計算部を含んでいる。
【００１９】
さらに、計算手段は、第１断熱性能及び第２断熱性能を比較して、断熱性能が優れている一方の性能を用いて、建物の外皮の断熱性能を計算する第３計算部と、計算された前記建物の外皮の断熱性能を出力する出力部とを含んでいる。このように、本願の第１の発明の建物の外皮の断熱性能計算システムは、外皮の断熱性能に有利な開口部の断熱性能を用いて、外皮の断熱性能が計算されるため、実際の外皮の断熱性能よりも、外皮の断熱性能が不利側に（小さく）計算されるのを防ぐことができる。
【００２０】
本願の第２の発明の建物の外皮の断熱性能計算方法は、開口部の設計因子を、コンピュータに記憶する工程、予め定められた基準に従って設計因子毎の断熱性能である第１開口部断熱情報を、コンピュータに記憶する工程、開口部の設計因子毎の実際の断熱性能である第２開口部断熱情報を、コンピュータに記憶する工程、コンピュータが、建物の外皮の断熱性能を計算する外皮断熱性能計算工程、及び、コンピュータが、計算された建物の外皮の断熱性能を出力する工程を含んでいる。
【００２１】
外皮断熱性能計算工程は、建物の開口部の設計因子に基づいて、第１開口部断熱情報を抽出し、抽出された第１開口部断熱情報を使用して、開口部の第１断熱性能を計算する工程と、建物の開口部の設計因子に基づいて、第２開口部断熱情報を抽出し、抽出された第２開口部断熱情報を使用して、開口部の第２断熱性能を計算する工程と、第１断熱性能及び第２断熱性能を比較して、断熱性能が優れている一方の性能を用いて、建物の外皮の断熱性能を計算する工程とを含んでいる。
【００２２】
このように、本願の第２の発明の建物の外皮の断熱性能計算方法は、外皮の断熱性能に有利な開口部の断熱性能を用いて、外皮の断熱性能が計算されるため、実際の外皮の断熱性能よりも、外皮の断熱性能が不利側に（小さく）計算されるのを防ぐことができる。
【図面の簡単な説明】
【００２３】
【図１】本実施形態の計算システムの構成の一例を示すブロック図である。
【図２】外皮の断熱性能が計算される建物の一例を示す断面図である。
【図３】建物の外皮の断熱性能の計算方法の処理手順の一例を示すフローチャートである。
【図４】設計因子記憶工程の処理手順の一例を示すフローチャートである。
【図５】第１開口部断熱情報の一例を示す図である。
【図６】第１断熱情報記憶工程の処理手順の一例を示すフローチャートである。
【図７】第２開口部断熱情報の一例を示す図である。
【図８】外皮断熱性能計算工程の処理手順の一例を示すフローチャートである。
【図９】エネルギー消費量計算工程の処理手順の一例を示すフローチャートである。
【図１０】計算システムによる出力結果の一例を示す図である。
【図１１】本発明の他の実施形態の計算方法の処理手順の一例を示すフローチャートである。
【図１２】本発明の他の実施形態の計算システムによる出力結果の一例を示す図である。
【発明を実施するための形態】
【００２４】
以下、本発明の実施の一形態が図面に基づき説明される。
本実施形態の建物の外皮の断熱性能計算システム（以下、単に「計算システム」ということがある。）は、例えば、建物の新築時やリフォーム時において、開口部を含む建物の外皮の断熱性能（以下、単に「外皮の断熱性能」ということがある。）を計算するために使用される。本実施形態の断熱性能計算システムは、外皮の断熱性能の計算、及び、建物のエネルギー消費量（以下、単に「エネルギー消費量」ということがある。）の計算に使用されるが、外皮の断熱性能の計算のみに使用されてもよい。
【００２５】
図１は、本実施形態の計算システムの構成の一例を示すブロック図である。本実施形態の計算システム１Ｓは、例えば、一つのコンピュータ１の中に組み込まれる態様が例示される。
【００２６】
コンピュータ１は、入力デバイスとしての入力部２、出力デバイスとしての出力部３、及び、外皮の断熱性能等を計算する演算処理装置４を有している。
【００２７】
入力部２は、例えば、キーボード又はマウス等が用いられる。出力部３は、例えば、ディスプレイ装置又はプリンタ等が用いられる。演算処理装置４は、各種の演算を行う演算部（ＣＰＵ）４Ａ、データやプログラム等が記憶される記憶部４Ｂ、及び、作業用メモリ４Ｃが含まれている。
【００２８】
記憶部４Ｂは、例えば、磁気ディスク、光ディスク又はＳＳＤ等からなる不揮発性の情報記憶装置である。記憶部４Ｂには、データ部６及び計算手段（プログラム部）７が設けられている。
【００２９】
データ部６は、第１記憶手段６Ａ、第２記憶手段６Ｂ、第３記憶手段６Ｃ、第４記憶手段６Ｄ、第５記憶手段６Ｅ、プラン記憶手段６Ｆ、設計因子記憶手段６Ｇ、及び、基本情報記憶手段６Ｈを含んでいる。
【００３０】
第１記憶手段６Ａ〜第５記憶手段６Ｅは、外皮の断熱性能の計算結果等の情報を記憶するためのものである。プラン記憶手段６Ｆは、建物のプランを記憶するためのものである。設計因子記憶手段６Ｇは、外皮の断熱性能の計算に用いられる建物の構成部材の設計因子を記憶するためのものである。基本情報記憶手段６Ｈは、エネルギー消費量の計算に必要な基本情報を記憶するためのものである。
【００３１】
計算手段７は、演算部４Ａによって実行されるプログラムである。計算手段７は、第１計算部７Ａ、第２計算部７Ｂ、第３計算部７Ｃ、第４計算部７Ｄ、第５計算部７Ｅ、及び、設計因子特定部７Ｆを含んでいる。第１計算部７Ａ〜第５計算部７Ｅ及び設計因子特定部７Ｆは、外皮の断熱性能やエネルギー消費量を計算するためのプログラムとして構成されている。
【００３２】
図２は、外皮の断熱性能が計算される建物１１の一例を示す断面図である。本実施形態において、外皮の断熱性能の計算に用いられる建物１１の構成部材（部位）１２は、天井部１３、外壁部１４、床部１５（又は基礎１７）、及び、開口部１６である。
【００３３】
外皮の断熱性能の計算において、天井部１３は、例えば、建物１１の内外の熱的境界となる上面の外皮のうち、天窓（図示省略）以外の部分として定義される。また、外壁部１４は、例えば、建物の内外の熱的境界となる鉛直面の外皮のうち、開口部（窓等）１６、基礎１７、横架材（図示省略）、及び、土間床１８以外の部分として定義される。
【００３４】
外皮の断熱性能の計算において、床部１５は、例えば、建物の内外の熱的境界となる下面の外皮のうち、土間床１８以外の部分として定義される。また、開口部１６は、例えば、建物の内外の熱的境界に取り付く開口部分と定義される。開口部１６の一例としては、例えば、玄関のドア、窓、及び、天窓等である。
【００３５】
これらの構成部材１２は、建物１１毎に、それぞれ異なる設計因子を有している。外皮の断熱性能の計算に用いられる設計因子の種類としては、例えば、予め定められた基準に基づいて、適宜設定することができる。開口部１６の設計因子の一例としては、開口部１６に配置されるガラスの種類、及び、サッシの種類を含んでいる。
【００３６】
前記基準は、外皮の断熱性能の計算や、建物のエネルギー消費量の計算に関して取り決められたものである。本実施形態の基準は、省エネルギー基準（即ち、「建築物のエネルギー消費性能の向上に関する法律（建築物省エネ法）」及び「エネルギーの使用の合理化等に関する法律（省エネ法）」）である場合が例示される。
【００３７】
次に、本実施形態の計算システム１Ｓの作用（即ち、コンピュータ１を用いた建物１１の外皮の断熱性能計算方法（以下、単に「計算方法」ということがある。））について説明する。図３は、外皮の断熱性能の計算方法の処理手順の一例を示すフローチャートである。
【００３８】
本実施形態の計算方法では、先ず、図１に示した計算システム１Ｓ（コンピュータ１）に、建物１１（図２に示す）のプランが記憶される（工程Ｓ１）。プランは、建物１１が施工される地域、方角、及び、間取り等に関する情報である。このようなプランとしては、例えば、建物１１の設計に用いられたＣＡＤデータを使用することができる。プランは、プラン記憶手段６Ｆ（図１に示す）に記憶される。
【００３９】
次に、図３に示されるように、本実施形態の計算方法は、計算システム１Ｓ（コンピュータ１）に、図２に示した建物１１の構成部材１２の設計因子が記憶される（設計因子記憶工程Ｓ２）。本実施形態の設計因子記憶工程Ｓ２では、図１に示されるように、プラン記憶手段６Ｆに記憶されている建物１１（図２に示す）のプランが、作業用メモリ４Ｃに読み込まれる。さらに、設計因子特定部７Ｆが、作業用メモリ４Ｃに読み込まれる。そして、設計因子特定部７Ｆが、演算部４Ａによって実行される。
【００４０】
設計因子特定部７Ｆは、図２に示した建物１１のプランに基づいて、外皮の断熱性能の計算に用いられる各構成部材１２（本実施形態では、図２に示した天井部１３、外壁部１４、床部１５（又は基礎１７）、及び、開口部１６）の設計因子を特定する。各構成部材１２の設計因子については、上述のとおりである。これらの設計因子は、図１に示した設計因子記憶手段６Ｇに記憶される。なお、設計因子は、計算システム１Ｓの使用者が直接入力してもよいし、また、予め用意されている設計因子に関するデータを使用してもよい。
【００４１】
図４は、設計因子記憶工程Ｓ２の処理手順の一例を示すフローチャートである。設計因子記憶工程Ｓ２は、天井部１３の設計因子が記憶される工程Ｓ２１、外壁部１４の設計因子が記憶される工程Ｓ２２、床部１５の設計因子が記憶される工程Ｓ２３、及び、開口部１６の設計因子が記憶される工程Ｓ２４が実施される。これらの工程Ｓ２１〜Ｓ２４は、順次実施されてもよいし、同時に実施されてもよい。これにより、図２に示した建物１１の構成部材１２の設計因子が、計算システム１Ｓに記憶される。
【００４２】
次に、図３に示されるように、本実施形態の計算方法は、前記基準に従って、計算システム１Ｓ（コンピュータ１）に、各構成部材１２の設計因子毎の断熱性能である第１断熱情報が記憶される（第１断熱情報記憶工程Ｓ３）。第１断熱情報は、各構成部材１２（本実施形態では、図２に示した天井部１３、外壁部１４、床部１５（又は基礎１７）、及び、開口部１６）の設計因子毎に、前記基準で定められた断熱性能である。これらの第１断熱情報は、第１記憶手段６Ａ（図１に示す）に記憶される。
【００４３】
図５は、開口部１６（図２に示す）の設計因子毎の断熱性能である第１開口部断熱情報の一例を示す図である。第１開口部断熱情報は、開口部１６の設計因子（本実施形態では、開口部１６に配置されるガラスの種類、及び、サッシの種類）毎に、断熱性能が関連付けられている。断熱性能としては、熱貫流率Ｗ／(ｍ2Ｋ)が含まれている。この熱貫流率は、その数値が小さいほど、断熱性能に優れることを示している。このような第１開口部断熱情報は、各開口部１６について、設計因子に一致する断熱性能を抽出することができる。
【００４４】
図６は、第１断熱情報記憶工程Ｓ３の処理手順の一例を示すフローチャートである。第１断熱情報記憶工程Ｓ３では、天井部１３の設計因子毎の断熱性能である第１天井部断熱情報が記憶される工程Ｓ３１、外壁部１４の設計因子毎の断熱性能である第１外壁部断熱情報が記憶される工程Ｓ３２、床部１５の設計因子毎の断熱性能である第１床部断熱情報が記憶される工程Ｓ３３、及び、開口部１６の設計因子毎の断熱性能である第１開口部断熱情報が記憶される工程Ｓ３４が実施される。これらの工程Ｓ３１〜Ｓ３４は、順次実施されてもよいし、同時に実施されてもよい。これにより、設計因子毎の断熱性能である第１断熱情報が、計算システム１Ｓに記憶される。
【００４５】
次に、図３に示されるように、本実施形態の計算方法は、計算システム１Ｓ（コンピュータ１）に、開口部１６（図２に示す）の設計因子毎の実際の断熱性能である第２開口部断熱情報が記憶される（工程Ｓ４）。本実施形態の第２開口部断熱情報は、開口部１６の設計因子毎に、実測された断熱性能である。断熱性能の測定方法については、公知の方法が用いられる。このような第２開口部断熱情報は、前記基準で定められている第１開口部断熱情報に比べて、開口部１６の断熱性能を正確に得ることができる。
【００４６】
図７は、第２開口部断熱情報の一例を示す図である。第２開口部断熱情報は、開口部１６の設計因子毎に、断熱性能が関連付けられている。本実施形態の設計因子は、図５に示した第１開口部断熱情報の設計因子（本実施形態では、開口部１６に配置されるガラスの種類、及び、サッシの種類）に加えて、さらに、建具の種別が設定されている。建具の種別としては、例えば、「竪スベリ（即ち、竪スベリ出し窓）」、及び、「引き違い（即ち、引き違い窓）」を含んでいる。このような建具の種別の違いは、図７に示されるように、開口部１６の断熱性能に大きな影響を及ぼすものである。このように、第２開口部断熱情報は、図５に示した第１開口部断熱情報に比べて、開口部１６の設計因子が細分化されるため、開口部１６の断熱性能をより正確に得ることができる。このような第２開口部断熱情報は、第２記憶手段６Ｂ（図１に示す）に記憶される。
【００４７】
次に、図３に示されるように、本実施形態の計算方法は、計算システム１Ｓ（コンピュータ１）によって、外皮の断熱性能が計算される（外皮断熱性能計算工程Ｓ５）。図８は、外皮断熱性能計算工程Ｓ５の処理手順の一例を示すフローチャートである。
【００４８】
本実施形態の外皮断熱性能計算工程Ｓ５は、先ず、図５に示した第１開口部断熱情報を使用して、開口部１６（図２に示す）の第１断熱性能が計算される（工程Ｓ５１）。第１断熱性能は、上記基準に基づいて求められるものであり、図２に示した建物１１に設けられる全ての開口部１６（図２に示す）の断熱性能を考慮したものである。工程Ｓ５１では、先ず、図１に示されるように、設計因子記憶手段６Ｇに記憶されている各開口部１６の設計因子が、作業用メモリ４Ｃに読み込まれる。次に、第１計算部７Ａが、作業用メモリ４Ｃに読み込まれる。そして、第１計算部７Ａが、演算部４Ａによって実行される。
【００４９】
第１計算部７Ａは、各開口部１６（図２に示す）の設計因子（本実施形態では、ガラスの種類、及び、サッシの種類）に基づいて、図１に示した第１記憶手段６Ａから第１開口部断熱情報（本実施形態では、図５に示した断熱性能）を抽出する。そして、第１計算部７Ａは、抽出された各開口部１６の第１開口部断熱情報を使用して、図２に示した建物１１に設けられる全ての開口部１６毎に、第１断熱性能を計算する。第１断熱性能の計算方法については、上記基準に基づいて行われる。第１断熱性能は、データ部６に記憶される。
【００５０】
次に、図８に示されるように、本実施形態の外皮断熱性能計算工程Ｓ５は、図７に示した第２開口部断熱情報を使用して、開口部１６の第２断熱性能が計算される（工程Ｓ５２）。第２断熱性能は、図２に示した建物１１に設けられる全ての開口部１６（図２に示す）を考慮した実際の断熱性能である。工程Ｓ５２では、先ず、図１に示されるように、設計因子記憶手段６Ｇに記憶されている各開口部１６の設計因子が、作業用メモリ４Ｃに読み込まれる。次に、工程Ｓ５２では、第２計算部７Ｂが、作業用メモリ４Ｃに読み込まれる。そして、第２計算部７Ｂが、演算部４Ａによって実行される。
【００５１】
第２計算部７Ｂは、各開口部１６（図２に示す）の設計因子（本実施形態では、ガラスの種類、サッシの種類、及び、建具の種別）に基づいて、図１に示した第２記憶手段６Ｂから第２開口部断熱情報（本実施形態では、図７に示した断熱性能）を抽出する。そして、第２計算部７Ｂは、抽出された各開口部１６の第２開口部断熱情報を使用して、図２に示した建物１１に設けられる全ての開口部１６毎に、第２断熱性能を計算する。第２断熱性能の計算方法については、第１断熱性能の計算方法と同一の手順で行われる。第２断熱性能は、データ部６に記憶される。
【００５２】
次に、図８に示されるように、本実施形態の外皮断熱性能計算工程Ｓ５は、第１断熱性能及び第２断熱性能が比較される（工程Ｓ５３）。工程Ｓ５３では、先ず、図１に示されるように、データ部６に記憶されている第１断熱性能及び第２断熱性能が、作業用メモリ４Ｃに読み込まれる。次に、工程Ｓ５３では、第３計算部７Ｃが、作業用メモリ４Ｃに読み込まれる。そして、第３計算部７Ｃが、演算部４Ａによって実行される。
【００５３】
第３計算部７Ｃは、第１断熱性能及び第２断熱性能の優劣を比較する。図８に示されるように、工程Ｓ５３において、第１断熱性能が優れていると判断された場合（工程Ｓ５３において、「＜」）、第１断熱性能を用いて、建物の外皮の断熱性能を計算する工程Ｓ５４が実施される。他方、第２断熱性能が優れている（又は等しい）と判断された場合（工程Ｓ５３において、「≧」）、第２断熱性能を用いて、建物の外皮の断熱性能を計算する工程Ｓ５５が実施される。
【００５４】
図８に示されるように、工程Ｓ５４では、断熱性能に優れる第１断熱性能を用いて、建物の外皮の断熱性能が計算される。工程Ｓ５４では、先ず、図１に示されるように、データ部６に記憶されている開口部１６の第１断熱性能が、作業用メモリ４Ｃに読み込まれる。次に、工程Ｓ５４では、プラン記憶手段６Ｆに記憶されている建物１１のプラン、設計因子記憶手段６Ｇに記憶されている天井部１３の設計因子、設計因子記憶手段６Ｇに記憶されている外壁部１４の設計因子、及び、設計因子記憶手段６Ｇに記憶されている床部１５の設計因子が、作業用メモリ４Ｃに読み込まれる。次に、工程Ｓ５４では、第３計算部７Ｃが、作業用メモリ４Ｃに読み込まれる。そして、第３計算部７Ｃが、演算部４Ａによって実行される。
【００５５】
第３計算部７Ｃは、断熱性能に優れる第１断熱性能を使用して、建物の外皮の断熱性能を計算する。建物の外皮の断熱性能は、上記基準に基づいて、下記式（１）を使用して計算される。
ＵA＝（ＵB×ＳB＋ＵC×ＳC＋Ｃ×ＵD×ＳD＋ＵE×ＳE）／ＳA   …（１）
ここで、各変数は次のとおりである。
ＵA：外皮の断熱性能（外皮平均熱貫流率）
ＳA：外皮の面積
ＵB：天井部の熱貫流率
ＳB：天井部の面積
ＵC：外壁部の熱貫流率
ＳC：外壁部の面積
ＵD：床部の熱貫流率（又は、基礎の熱貫流率）
ＳD：床部の面積（又は、基礎の面積）
ＵE：開口部の熱貫流率
ＳE：開口部の面積
Ｃ ：係数
なお、係数Ｃは、床部の熱貫流率及び床部の面積が使用される場合「０．７」が代入され、基礎の熱貫流率及び基礎の面積が使用される場合「１」が代入される。
【００５６】
第３計算部７Ｃは、建物１１（図２に示す）のプランに基づいて、外皮の面積ＳA、天井部の面積ＳB、外壁部の面積ＳC、床部の面積（基礎の面積）ＳD、及び、開口部の面積ＳEをそれぞれ計算する。なお、基礎の面積ＳDが使用される場合、外皮の面積Ｓａの計算に用いられる基礎の面積は、床部の面積と、ＧＬ（グランドライン）から４００mm下方の基礎の面積との和が使用される。
【００５７】
次に、第３計算部７Ｃは、天井部の面積ＳBに基づいて、天井部の断熱性能を求める。また、第３計算部７Ｃは、外壁部の面積ＳCに基づいて、外壁部の断熱性能を求める。さらに、第３計算部７Ｃは、床部の面積（基礎の面積）ＳDに基づいて、床部の断熱性能（又は、基礎の断熱性能）を求める。また、開口部の熱貫流率ＵEは、断熱性能が優れる第１断熱性能の熱貫流率である。
【００５８】
そして、第３計算部７Ｃは、各変数ＵB、ＳB、ＵC、ＳC、Ｃ、ＵD、ＳD、ＵE、ＳE及びＳAが、上記式（１）に代入されることにより、外皮の断熱性能ＵAが計算される。外皮の断熱性能ＵAは、第３記憶手段６Ｃ（図１に示す）に記憶される。
【００５９】
図８に示されるように、工程Ｓ５５では、断熱性能に優れる開口部１６の第２断熱性能を用いて、建物の外皮の断熱性能が計算される。外皮の断熱性能の計算は、上述した第１断熱性能を用いる工程Ｓ５４（図８に示す）と同一の手順で行われる。即ち、上記式（１）において、開口部の熱貫流率ＵEに、断熱性能が優れる第２断熱性能の熱貫流率が代入されて、建物の外皮の断熱性能が計算される。外皮の断熱性能ＵAは、第３記憶手段６Ｃ（図１に示す）に記憶される。
【００６０】
このように、本発明の計算システム１Ｓ及び計算方法は、上記基準に基づいて求められた開口部１６の第１断熱性能、及び、開口部１６の実際の第２断熱性能のうち、外皮の断熱性能に有利な断熱性能を用いて、外皮の断熱性能を計算することができる。開口部１６の断熱性能は、他の構成部材１２の断熱性能に比べて、外皮の断熱性能に大きな影響を及ぼすものである。従って、本発明の計算システム１Ｓ及び計算方法は、実際の外皮の断熱性能よりも、外皮の断熱性能が不利側に（小さく）計算されるのを防ぐことができる。このような外皮の断熱性能は、建物１１のエネルギー消費量（本実施形態では、１次エネルギー消費量）が必要以上に低く計算されるのを防ぐことができる。さらに、不利な外皮の断熱性能に基づいて設定された過剰な設備によってエネルギー収支を整えるようなミスマッチが生じることを防ぎうる。
【００６１】
次に、図３に示されるように、本実施形態の計算方法は、計算システム１Ｓ（コンピュータ１）によって、建物のエネルギー消費量が計算される（エネルギー消費量計算工程Ｓ６）。建物のエネルギー消費量（本実施形態では、１次エネルギー消費量）は、上記基準に基づいて、建物のプラン、外皮の断熱性能、暖房、冷房、換気、照明及び給湯等を含む情報を使用して求められる。
【００６２】
図２に示されるように、建物１１が施工される前に決定したプランは、施主の要望等に応じて、部分的に変更されることがある。例えば、外皮の断熱性能に影響する設計因子が変更されると、外皮の断熱性能が変化し、施工前に計算されたエネルギー消費量と、施工後の実際のエネルギー消費量とが一致しないおそれがある。外皮の断熱性能に影響する設計因子は、外皮の断熱性能の計算に用いられた構成部材１２（本実施形態では、天井部１３、外壁部１４、床部１５（又は基礎１７）、及び、開口部１６）の設計因子以外のものである。本実施形態の外皮の断熱性能に影響する設計因子は、建物１１の小屋裏収納１９である場合が例示される。
【００６３】
本実施形態の計算システム１Ｓは、外皮の断熱性能に影響する設計因子（本実施形態では、小屋裏収納１９）を考慮しない第１エネルギー消費量、及び、外皮の断熱性能に影響する設計因子（本実施形態では、小屋裏収納１９）を考慮した第２エネルギー消費量を計算して、エネルギー性能が劣っている一方の消費量を出力している。これにより、計算システム１Ｓは、施工前のプランが変更された場合であっても、施工後の実際の建物１１のエネルギー消費量よりも上回るようなエネルギー消費量を表示することを防いでいる。
【００６４】
図９は、エネルギー消費量計算工程Ｓ６の処理手順の一例を示すフローチャートである。エネルギー消費量計算工程Ｓ６の一連の処理は、図１に示した第４計算部７Ｄによって計算される。
【００６５】
本実施形態のエネルギー消費量計算工程Ｓ６は、先ず、計算システム１Ｓ（コンピュータ１）に、エネルギー消費量の計算に必要な基本情報が記憶される（工程Ｓ６１）。本実施形態の基本情報は、エネルギー消費量の計算に用いられる情報のうち、既に入力されている建物のプラン及び外皮の断熱性能を除いた、暖房、冷房、換気、照明及び給湯等を含む情報である。これらの基本情報は、基本情報記憶手段６Ｈ（図１に示す）に記憶される。
【００６６】
次に、図９に示されるように、本実施形態のエネルギー消費量計算工程Ｓ６は、計算システム１Ｓ（コンピュータ１）が、建物の外皮の断熱性能に影響する設計因子（本実施形態では、小屋裏収納１９）を有するか否かを判断する（工程Ｓ６２）。工程Ｓ６２では、先ず、図１に示されるように、プラン記憶手段６Ｆに記憶されている建物１１のプランが、作業用メモリ４Ｃに読み込まれる。次に、第４計算部７Ｄが、作業用メモリ４Ｃに読み込まれる。そして、第４計算部７Ｄが、演算部４Ａによって実行される。
【００６７】
第４計算部７Ｄは、建物のプランに、建物の外皮の断熱性能に影響する設計因子（本実施形態では、図２に示した小屋裏収納１９）を有するか否かを判断する。図９に示されるように、工程Ｓ６２において、建物の外皮の断熱性能に影響する設計因子を有すると判断された場合（工程Ｓ６２で、「Ｙ」）、外皮の断熱性能に影響する設計因子を考慮しない第１エネルギー消費量を計算する工程Ｓ６３、及び、外皮の断熱性能に影響する設計因子を考慮した第２エネルギー消費量を計算する工程Ｓ６４が実施される。他方、建物の外皮の断熱性能に影響する設計因子を有しないと判断された場合（工程Ｓ６２で、「Ｎ」）、前記第１エネルギー消費量を計算する工程Ｓ６５が実施される。
【００６８】
図９に示されるように、工程Ｓ６３では、計算システム１Ｓ（コンピュータ１）によって、外皮の断熱性能に影響する設計因子を考慮しない第１エネルギー消費量が計算される。工程Ｓ６３では、先ず、図１に示されるように、プラン記憶手段６Ｆに記憶されている建物１１のプランが、作業用メモリ４Ｃに読み込まれる。次に、第３記憶手段６Ｃに記憶されている外皮の断熱性能ＵAが、作業用メモリ４Ｃに読み込まれる。次に、基本情報記憶手段６Ｈに記憶されている基本情報が、作業用メモリ４Ｃに読み込まれる。次に、第４計算部７Ｄが、作業用メモリ４Ｃに読み込まれる。そして、第４計算部７Ｄが、演算部４Ａによって実行される。
【００６９】
第４計算部７Ｄは、建物のプラン、外皮の断熱性能、暖房、冷房、換気、照明及び給湯等を含む情報を使用して、第１エネルギー消費量を計算する。なお、第３記憶手段６Ｃに記憶されている外皮の断熱性能は、外皮断熱性能計算工程Ｓ５において、建物の外皮の断熱性能に影響する設計因子（本実施形態では、小屋裏収納１９）を考慮せずに計算されたものである。このような外皮の断熱性能が使用されることにより、外皮の断熱性能に影響する設計因子を考慮しない第１エネルギー消費量を計算することができる。第１エネルギー消費量は、第４記憶手段６Ｄ（図１に示す）に記憶される。
【００７０】
図９に示されるように、工程Ｓ６４では、計算システム１Ｓ（コンピュータ１）によって、外皮の断熱性能に影響する設計因子を考慮した第２エネルギー消費量が計算される。工程Ｓ６４では、先ず、図１に示されるように、プラン記憶手段６Ｆに記憶されている建物１１のプランが、作業用メモリ４Ｃに読み込まれる。次に、第３記憶手段６Ｃに記憶されている外皮の断熱性能ＵAが、作業用メモリ４Ｃに読み込まれる。次に、基本情報記憶手段６Ｈに記憶されている基本情報が、作業用メモリ４Ｃに読み込まれる。次に、第４計算部７Ｄが、作業用メモリ４Ｃに読み込まれる。そして、第４計算部７Ｄが、演算部４Ａによって実行される。
【００７１】
第４計算部７Ｄは、先ず、建物の外皮の断熱性能に影響する設計因子（本実施形態では、小屋裏収納１９）を考慮した外皮の断熱性能が計算される。このような外皮の断熱性能の計算方法は、先ず、外皮の断熱性能に影響する設計因子（小屋裏収納１９）を考慮して、上記式（１）の各変数ＵB、ＳB、ＵC、ＳC、ＵD、ＳD、ＵE、ＳE及びＳAが再度求められる。そして、各変数ＵB、ＳB、ＵC、ＳC、ＵD、ＳD、ＵE、ＳE及びＳAが、上記式（１）に代入されることにより、外皮の断熱性能に影響する設計因子を考慮した外皮の断熱性能ＵAが計算される。この外皮の断熱性能ＵAは、第３記憶手段６Ｃに記憶される。
【００７２】
次に、第４計算部７Ｄは、建物のプラン、建物の外皮の断熱性能に影響する設計因子（本実施形態では、小屋裏収納１９）を考慮した外皮の断熱性能、暖房、冷房、換気、照明及び給湯等を含む情報を使用して、第２エネルギー消費量を計算する。第２エネルギー消費量は、第４記憶手段６Ｄ（図１に示す）に記憶される。
【００７３】
次に、図９に示されるように、本実施形態のエネルギー消費量計算工程Ｓ６は、計算システム１Ｓ（コンピュータ１）が、第１エネルギー消費量及び第２エネルギー消費量を比較する（工程Ｓ６６）。工程Ｓ６６では、先ず、図１に示されるように、第４記憶手段６Ｄに記憶されている第１エネルギー消費量及び第２エネルギー消費量が、作業用メモリ４Ｃに読み込まれる。次に、第４計算部７Ｄが、作業用メモリ４Ｃに読み込まれる。そして、第４計算部７Ｄが、演算部４Ａによって実行される。
【００７４】
第４計算部７Ｄは、第１エネルギー消費量及び第２エネルギー消費量の優劣を比較する。エネルギー消費量が小さいほど、良好であることを示している。図９に示されるように、工程Ｓ６６において、第１エネルギー消費量が劣っていると判断された場合（工程Ｓ６６において、「＞」）、第１エネルギー消費量と、外皮の断熱性能とを出力する工程Ｓ６７が実施される。他方、工程Ｓ６６において、第２エネルギー消費量が劣っている（又は等しい）と判断された場合（工程Ｓ６６において、「≦」）、第２エネルギー消費量と、外皮の断熱性能とを出力する工程Ｓ６８が実施される。
【００７５】
図９に示されるように、工程Ｓ６７では、第２エネルギー消費量よりも劣る第１エネルギー消費量と、外皮の断熱性能とが出力される。工程Ｓ６７において、出力される外皮の断熱性能は、第１エネルギー消費量の計算に用いられたもの（即ち、建物の外皮の断熱性能に影響する設計因子を考慮せずに計算されたもの）である。
【００７６】
工程Ｓ６７では、先ず、図１に示されるように、第４記憶手段６Ｄに記憶されている第１エネルギー消費量が、作業用メモリ４Ｃに読み込まれる。次に、工程Ｓ６７では、第３記憶手段６Ｃに記憶されている外皮の断熱性能が、作業用メモリ４Ｃに読み込まれる。次に、工程Ｓ６７では、第４計算部７Ｄが、作業用メモリ４Ｃに読み込まれる。そして、第４計算部７Ｄが、演算部４Ａによって実行される。
【００７７】
第４計算部７Ｄは、第１エネルギー消費量、及び、外皮の断熱性能を、出力部３（ディスプレイ装置又はプリンタ等）に出力する。図１０は、計算システム１Ｓ（コンピュータ１）による出力結果の一例を示す図である。図１０において、第１エネルギー消費量は、「一次エネルギー消費量」として出力されている。また、外皮の断熱性能は、「外皮平均熱貫流率（ＵＡ）」として出力されている。
【００７８】
図９に示されるように、工程Ｓ６８では、第１エネルギー消費量よりも劣る第２エネルギー消費量と、外皮の断熱性能とが出力される。工程Ｓ６８において、外皮の断熱性能は、第２エネルギー消費量の計算に用いられたもの（即ち、建物の外皮の断熱性能に影響する設計因子を考慮して再計算されたもの）である。出力の手順は、工程Ｓ６７と同様の手順で行われる。
【００７９】
このように、本実施形態の計算システム１Ｓ及び計算方法は、外皮の断熱性能に影響する設計因子（本実施形態では、小屋裏収納１９）を考慮しない第１エネルギー消費量、及び、外皮の断熱性能に影響する設計因子を考慮した第２エネルギー消費量を計算して、エネルギー性能が劣っている一方の消費量を出力することができる。従って、計算システム１Ｓ及び計算方法は、施工前のプランが変更された場合であっても、実際の建物１１のエネルギー消費量よりも上回るようなエネルギー消費量を表示することを効果的に防ぐことができる。
【００８０】
上述したように、外皮の断熱性能は、外皮の断熱性能に有利な開口部の断熱性能を用いて計算されているため、実際の外皮の断熱性能よりも不利側に（小さく）計算されるのを防ぐことができる。このため、出力されたエネルギー消費量（第１エネルギー消費量又は第２エネルギー消費量）についても、必要以上に低く計算されるのを防ぐことができる。
【００８１】
図９に示されるように、工程Ｓ６５では、第１エネルギー消費量が計算される。工程Ｓ６５では、工程Ｓ６３と同一の処理手順で実施される。
【００８２】
次に、エネルギー消費量計算工程Ｓ６では、第１エネルギー消費量と、外皮の断熱性能とが出力される（工程Ｓ６９）。工程Ｓ６９では、工程Ｓ６７と同一の処理手順で実施される。上述したように、外皮の断熱性能は、実際の外皮の断熱性能よりも不利側に（小さく）計算されるのを防ぐことができる。このため、第１エネルギー消費量についても、必要以上に低く計算されるのを防ぐことができる。
【００８３】
本実施形態の外皮の断熱性能に影響する設計因子は、図２に示した建物１１の小屋裏収納１９である場合が例示されたが、このような態様に限定されない。例えば、建物１１の基礎１７の深さ、図示しない建物１１のエレベータの昇降路の上部（空間）、又は、外壁部１４側に設けられた収納空間（図示省略）が含まれてもよい。これにより、施工前のプラン（基礎１７の設計因子等）が変更された場合であっても、実際よりも上回るエネルギー消費量を表示することを確実に防ぐことができる。
【００８４】
これまでの実施形態の計算システム１Ｓ及び計算方法では、外皮の断熱性能に有利な開口部の断熱性能を用いて、外皮の断熱性能が計算される態様が例示されたが、このような態様に限定されない。例えば、計算システム１Ｓ及び計算方法は、上記基準に基づく外皮の断熱性能を計算して、外皮の断熱性能が基準値を満たしているか否かを判断してもよい。本実施形態において、基準値は、上記基準の断熱等性能等級毎に定められている断熱性能（熱貫流率）の基準値である。これにより、建物１１の外皮の断熱性能が、上記基準で定められた断熱等性能等級に適合しているかを、出力部３に出力することができる。
【００８５】
図１１は、本発明の他の実施形態の計算方法の処理手順の一例を示すフローチャートである。この実施形態において、前実施形態と同一の構成については、同一の符号を付し、説明を省略することがある。
【００８６】
この実施形態の計算方法は、計算システム１Ｓ（コンピュータ１）が、第１断熱情報記憶工程Ｓ３後に、上記基準に基づいて、外皮の断熱性能を計算する（工程Ｓ７）。工程Ｓ７では、先ず、図１に示されるように、プラン記憶手段６Ｆに記憶されている建物１１のプラン、設計因子記憶手段６Ｇに記憶されている天井部１３の設計因子、外壁部１４の設計因子、床部１５の設計因子、及び、開口部１６の設計因子が、作業用メモリ４Ｃに読み込まれる。次に、工程Ｓ７では、第５計算部７Ｅが、作業用メモリ４Ｃに読み込まれる。そして、第５計算部７Ｅが、演算部４Ａによって実行される。
【００８７】
第５計算部７Ｅは、上記式（１）を使用して、外皮の断熱性能を計算する。外皮の断熱性能の計算方法としては、上述のとおりである。これにより、工程Ｓ７では、上記基準に基づいた外皮の断熱性能を計算することができる。外皮の断熱性能は、第５記憶手段６Ｅに記憶される。
【００８８】
次に、図１１に示されるように、この実施形態の計算方法は、計算システム１Ｓ（コンピュータ１）が、外皮の断熱性能が、予め定められた基準値を満たしているか否かを判断する（工程Ｓ８）。工程Ｓ８では、先ず、図１に示されるように、第５記憶手段６Ｅに記憶されている外皮の断熱性能が、作業用メモリ４Ｃに読み込まれる。次に、工程Ｓ８では、第５計算部７Ｅが、作業用メモリ４Ｃに読み込まれる。そして、第５計算部７Ｅが、演算部４Ａによって実行される。
【００８９】
上述したように、基準値は、上記基準の断熱等性能等級（本実施形態では、「断熱等性能等級４」、及び、「断熱等性能等級３」）毎に定められている断熱性能（熱貫流率）の基準値である。第５計算部７Ｅは、外皮の断熱性能が、これらの基準値を満たしているか否かを判断する。
【００９０】
図１１に示されるように、工程Ｓ８において、外皮の断熱性能が基準値を満たしていると判断された場合（工程Ｓ８において、「Ｙ」）、第５計算部７Ｅが外皮の断熱性能が断熱等性能等級に適合していること（例えば、「適合」）を出力部３に出力する（工程Ｓ９）。他方、工程Ｓ８において、外皮の断熱性能が基準値を満たしていないと判断された場合（工程Ｓ８において、「Ｎ」）、第５計算部７Ｅが外皮の断熱性能が断熱等性能等級に適合していないこと（例えば、「不適合」）を、出力部３に出力する（工程Ｓ１０）。図１２は、本発明の他の実施形態の計算システム１Ｓ（コンピュータ１）による出力結果の一例を示す図である。本実施形態では、断熱等性能等級４、及び、断熱等性能等級３毎に、外皮の断熱性能が適合しているか判断され、各等級の基準値とともに結果が出力されている。
【００９１】
このように、この実施形態では、上記基準に基づいて、建物１１の外皮の断熱性能が、上記基準で定められた断熱等性能等級に適合しているかを出力することができる。
【００９２】
本実施形態の計算システム１Ｓは、一つのコンピュータ１の中に組み込まれる態様が例示されたが、このような態様に限定されない。計算システム１Ｓは、例えば、図１に示した入力部２及び出力部３を有するクライアント（端末）と、演算処理装置４を有するサーバとを接続したクライアント・サーバシステムや、クライアントとサーバとをインターネットを介して接続したクラウドコンピューティング等によって構成されてもよい。
【００９３】
以上、本発明の特に好ましい実施形態について詳述したが、本発明は図示の実施形態に限定されることなく、種々の態様に変形して実施しうる。
【符号の説明】
【００９４】
１Ｓ      計算システム
３        出力部
６Ａ      第１記憶手段
６Ｂ      第２記憶手段
６Ｇ      設計因子記憶手段
７        計算手段
７Ａ      第１計算部
７Ｂ      第２計算部
７Ｃ      第３計算部
【図１】
2018073152.tif 000003
【図２】
2018073152.tif 000004
【図３】
2018073152.tif 000005
【図４】
2018073152.tif 000006
【図５】
2018073152.tif 000007
【図６】
2018073152.tif 000008
【図７】
2018073152.tif 000009
【図８】
2018073152.tif 000010
【図９】
2018073152.tif 000011
【図１０】
2018073152.tif 000012
【図１１】
2018073152.tif 000013
【図１２】
2018073152.tif 000014